(57)【要約】【課題】無線通信装置間に設けられた無線通信経路における通信エラー率を低減させることで、スループットの低下を抑制する無線通信装置および無線通信方法を提供する。【解決手段】無線通信装置（例えば、ゲートウェイ局１）は、自身の無線通信装置（ゲートウェイ局１）と他の無線通信装置（例えば、中継局２Ａ）との間の無線通信経路（２０ａ）における通信エラー率を測定し、その測定した通信エラー率が所定の閾値を超えている場合に、当該無線通信経路（２０ａ）において設定変更する新たな周波数チャンネルを選択する。そして、その新たな周波数チャンネルに関する情報を当該無線通信経路（２０ａ）とは異なる無線通信経路（２０ｂ，２０ｄ）を介して、他の無線通信装置（中継局２Ａ）に送信し、無線通信経路（２０ａ）の周波数チャンネルを、新たな周波数チャンネルに設定変更することを特徴とする。【選択図】図６
2010233131.tif 000002
【特許請求の範囲】
【請求項１】
複数の無線通信装置間に設けられた無線通信経路がメッシュ型に構成されてデータ通信を行う通信ネットワークシステムに用いられる前記無線通信装置であって、
自身の無線通信装置と接続する他の無線通信装置との間の前記無線通信経路における通信エラー率を測定し、前記測定した通信エラー率が所定の閾値を超えている場合に、当該無線通信経路において、設定変更する新たな周波数チャンネルを選択し、前記選択した新たな周波数チャンネルに関する情報を、当該無線通信経路とは異なる無線通信経路を介して、前記他の無線通信装置に送信し、当該無線通信経路の周波数チャンネルを、前記新たな周波数チャンネルに設定変更すること
を特徴とする無線通信装置。
【請求項２】
複数の無線通信装置間に設けられた無線通信経路がメッシュ型に構成されてデータ通信を行う通信ネットワークシステムに用いられる前記無線通信装置であって、
自身の無線通信装置と接続する他の無線通信装置との間の前記無線通信経路における通信エラー率を測定するエラー率測定部と、
前記エラー率測定部が測定した通信エラー率が所定の閾値を超えているか否かを判定するエラー率判定部と、
前記エラー率判定部が、通信エラー率が所定の閾値を超えていると判定した場合に、当該無線通信経路において、設定変更する新たな周波数チャンネルを選択する周波数選択部と、
前記周波数選択部が選択した新たな周波数チャンネルに関する情報を含む周波数変更要求情報を、当該無線通信経路とは異なる無線通信経路を介して、前記他の無線通信装置に送信する周波数変更情報送信部と、
前記周波数変更要求情報に基づき当該無線通信経路の周波数チャンネルを前記新たな周波数チャンネルに設定変更した旨の情報である周波数変更応答情報を、前記他の無線通信装置から、当該無線通信経路とは異なる無線通信経路を介して受信する周波数変更情報受信部と、
前記周波数変更情報受信部が前記周波数変更応答情報を受信したことを契機として、当該無線通信経路の周波数チャンネルを、前記周波数選択部が選択した前記新たな周波数チャンネルに設定変更する周波数設定部と、
を備えることを特徴とする無線通信装置。
【請求項３】
前記無線通信装置は、複数の前記無線通信経路を用いてデータの送受信を行うための複数の無線通信インタフェースを備えることを特徴とする請求項１または請求項２に記載の無線通信装置。
【請求項４】
複数の無線通信装置間に設けられた無線通信経路がメッシュ型に構成されてデータ通信を行う通信ネットワークシステムで用いられる無線通信方法であって、
第１の無線通信装置と第２の無線通信装置とが、前記無線通信経路を通じてデータ通信を行う場合に、
前記第１の無線通信装置は、
前記第１の無線通信装置と前記第２の無線通信装置との間の前記無線通信経路における通信エラー率を測定するステップと、
前記測定した通信エラー率が所定の閾値を超えているか否かを判定するステップと、
前記判定において、通信エラー率が所定の閾値を超えている場合に、当該無線通信経路において、設定変更する新たな周波数チャンネルを選択するステップと、
前記選択した新たな周波数チャンネルに関する情報を含む周波数変更要求情報を、当該無線通信経路とは異なる無線通信経路を介して、前記第２の無線通信装置に送信するステップと、を実行し、
前記第２の無線通信装置は、
前記第１の無線通信装置から、前記周波数変更要求情報を受信するステップと、
前記受信した周波数変更要求情報に基づき、当該無線通信経路の周波数チャンネルを、前記新たな周波数チャンネルに設定変更するステップと、
前記新たな周波数チャンネルに設定変更した旨の情報である周波数変更応答情報を、当該無線通信経路とは異なる無線通信経路を介して、前記第１の無線通信装置に送信するステップと、を実行し、
前記第１の無線通信装置は、
前記第２の無線通信装置から、前記周波数変更応答情報を受信するステップと、
前記周波数変更応答情報を受信したことを契機として、当該無線通信経路の周波数チャンネルを、前記新たな周波数チャンネルに設定変更するステップと、を実行すること
を特徴とする無線通信方法。
【発明の詳細な説明】
【技術分野】
【０００１】
本発明は、無線通信装置および無線通信方法に関する。
【背景技術】
【０００２】
近年、携帯電話や無線ＬＡＮ（Local Area Network）（IEEE802.11）等に代表される無線通信装置の高速化、低価格化の進展によって、様々な場所において無線通信装置の普及が進んでいる。
【０００３】
発電所や化学プラント等においても、従来、機器の監視・制御を目的として有線通信装置が用いられてきたが、監視・制御システムの一部に無線通信装置を導入することで配線コストを低減することが求められてきている。
【０００４】
機器の監視・制御に無線通信を用いる場合には、アドホック無線通信によってマルチホップ通信可能なＺｉｇｂｅｅ（登録商標）等に代表される無線通信技術が用いられる場合がある。
【０００５】
一方、主としてインターネット接続を目的として開発されてきた無線ＬＡＮ（IEEE802.11）では、無線通信の伝送状態が悪い場合には変調方式や誤り訂正符号化率を変更することで、通信エラー率を低減し、通信のスループットを安定化させることを可能としている。また、通信にエラーが発生した場合においても、同じデータを再送することを可能としている。
【０００６】
無線通信の電波伝搬環境が悪化し、再送が頻繁に発生する場合には、通信のスループットが低下する。この問題を解決するため、単位時間あたりに受信したフレームに基づいて、再送フレームが占める割合を計測し、フレーム再送率が所定の閾値以上で、かつ受信した信号の受信レベルが予め規定されているデータ伝送レートの最低レベル以上である場合に、より高いデータ伝送レートを選択して通信する技術が開示されている（例えば、特許文献１参照）。
【先行技術文献】
【特許文献】
【０００７】
【特許文献１】特開２００７−１６６１２０号公報
【発明の概要】
【発明が解決しようとする課題】
【０００８】
しかしながら、特許文献１に記載された技術は、無線通信装置の周囲において、人や物の移動によって電波伝搬環境が変化して通信エラー率が増大すると、当該無線通信周波数チャンネルで、予め規定されているデータ伝送レートの内、何れのデータ伝送レートを用いても通信エラー率が充分に改善せず、必要なスループットが得られない状況が発生するという課題がある。具体的には、無線通信において、電波伝搬におけるマルチパスやフェージングの影響によって無線通信装置における信号の受信レベルが低下する周波数チャンネルが生じる。
【０００９】
一方、人や物の移動状況やその配置によっては、異なる周波数チャンネルではマルチパスやフェージングの影響が比較的小さく、受信レベルの低下が少ない周波数チャンネルも存在する。
【００１０】
そのような場合には、受信レベルの低下が少ない周波数チャンネルに変更することで、通信エラー率を改善することが可能であるが、一般に送信装置と受信装置の間では、周波数チャンネルを共通に設定する必要があるため、電波伝搬環境が変化して通信エラー率が増大した後においては、送信装置と受信装置の間で通信信号を送受信して周波数チャンネルを変更することは困難となる。
【００１１】
このような背景に鑑みて本発明がなされたのであり、本発明は、無線通信装置間に設けられた無線通信経路における通信エラー率を低減させることで、スループットの低下を抑制することができる無線通信装置および無線通信方法を提供することを目的とする。
【課題を解決するための手段】
【００１２】
前記課題を解決するため、本発明の無線通信装置および無線通信方法は、自身の無線通信装置と接続する他の無線通信装置との間の無線通信経路における通信エラー率を測定し、その測定した通信エラー率が所定の閾値を超えている場合に、当該無線通信経路において、設定変更する新たな周波数チャンネルを選択し、その選択した新たな周波数チャンネルに関する情報を、当該無線通信経路とは異なる無線通信経路を介して他の無線通信装置に送信し、当該無線通信経路の周波数チャンネルを新たな周波数チャンネルに設定変更することを特徴とする。
【発明の効果】
【００１３】
本発明によれば、無線通信装置間に設けられた無線通信経路における通信エラー率を低減させることで、スループットの低下を抑制する無線通信装置および無線通信方法を提供することができる。
【図面の簡単な説明】
【００１４】
【図１】本実施形態に係る無線通信装置を用いた通信ネットワークシステムの構成を示す図である。
【図２】本実施形態に係るゲートウェイ局（無線通信装置）の構成例を示す機能ブロック図である。
【図３】本実施形態に係る中継局（無線通信装置）の構成例を示す機能ブロック図である。
【図４】無線通信装置において設定される周波数チャンネルを説明するための図である。
【図５】無線通信信号の受信レベルの周波数による変動を説明するための図である。
【図６】本実施形態に係る無線通信装置における周波数チャンネルの変更処理の概要を説明するための図である。
【図７】本実施形態に係る無線通信装置における周波数チャンネルの変更処理の流れを示すシーケンス図である。
【発明を実施するための形態】
【００１５】
次に、本発明を実施するための形態（「実施形態」という）について、適宜図面を参照しながら詳細に説明する。
【００１６】
図１は、本実施形態に係る無線通信装置を用いた通信ネットワークシステム１００の構成を示す図である。図１に示すように、通信ネットワークシステム１００は、ゲートウェイ局１と、中継局２（２Ａ，２Ｂ，…，２Ｆ）と、端末局３と、ハブ４と、制御装置５と、機器６とを含んで構成される。なお、本願における無線通信装置とは、図１に示す通信ネットワークシステム１００を構成する装置のうち、無線通信ネットワークを構成する、ゲートウェイ局１、中継局２、および端末局３のことを意味する。なお、詳細は後記する図２および図３において説明する。
【００１７】
制御装置５は、構築された通信ネットワークシステム１００により機器６を監視または制御する。
また、ハブ４は、複数の装置との間で相互に通信データを交換可能にするための通信装置であり、一般的にはイーサネット（登録商標）に対応したスイッチングハブ、あるいはレイヤ２スイッチ、レイヤ３スイッチなどが用いられる。このハブ４は、外部ネットワーク７と接続する必要がない場合には設けなくともよい。
【００１８】
制御装置５とハブ４、外部ネットワーク７とハブ４、ハブ４とゲートウェイ局１、および端末局３と機器６は、それぞれ有線通信経路１０（１０ａ，１０ｂ，１０ｃ，１０ｄ）で接続されている。この有線通信経路１０は、イーサネット（登録商標）のような汎用的な通信インタフェースで接続されているものとする。
【００１９】
ゲートウェイ局１は、有線通信と無線通信との間の物理的な信号の変換を行い、また、イーサネット（登録商標）のような有線通信プロトコルと無線ＬＡＮ（IEEE802.11）のような無線通信プロトコルとの間の論理的なプロトコル変換を行う。また、通信パケットが特定のアドレスに向けて伝送される必要がある場合には、アドレスに従って通信方向を決定するルータ機能も備えるものである。なお、ゲートウェイ局１の具体的な構成については、後記する図２において詳細に説明する。
【００２０】
中継局２（２Ａ，２Ｂ，…，２Ｆ）は、ゲートウェイ局１、自身以外の中継局２、または端末局３と複数の無線通信経路２０（２０ａ，２０ｂ，…，２０ｋ）を介して、無線通信信号の送受信を行う。
なお、中継局２の具体的な構成については、後記する図３において詳細に説明する。
【００２１】
端末局３は、無線通信経路２０（２０ｉ，２０ｋ）を介して中継局２（２Ｅ，２Ｆ）と接続して無線通信信号の送受信を行い、また、有線通信経路１０（１０ｄ）を介して機器６と接続する。
この端末局３は、ゲートウェイ局１と同様の機能・構成を有するものでり、有線通信と無線通信との間の物理的な信号の変換を行い、またイーサネット（登録商標）のような有線通信プロトコルと無線ＬＡＮ（IEEE802.11）のような無線通信プロトコルとの間の論理的なプロトコル変換を行う。また、通信パケットが特定のアドレスに向けて伝送される必要がある場合には、アドレスに従って通信方向を決定するルータ機能も備える。
【００２２】
一般に無線通信では、有線通信と比較して通信エラー率が高く、信頼性が低くなり易いため、図１に示すように、無線通信ネットワークを構成する無線通信経路２０を多重化する（メッシュ型に構成する）ことにより、制御装置５と機器６との間における監視または制御のための情報の伝送に関して通信の信頼性を高める。
【００２３】
次に、ゲートウェイ局１（無線通信装置）について具体的に説明する。図２は、本実施形態に係るゲートウェイ局１の構成例を示す機能ブロック図である。
図２に示すように、ゲートウェイ局１は、複数の通信部１１（１１ａ，１１ｂ，１１ｃ）と、制御部１２と、記憶部１３とを含んで構成される。なお、本実施形態に係る端末局３は、ゲートウェイ局１と同様の構成を備えるため、説明を省略する。
【００２４】
通信部１１は、有線通信ＩＦ（インタフェース）部１１４を備えた通信部１１ｃと、無線通信ＩＦ部１１１（１１１ａ，１１１ｂ）、エラー率測定部１１２（１１２ａ，１１２ｂ）、および周波数変換部１１３（１１３ａ，１１３ｂ）を備えた通信部１１ａ，１１ｂとを含んで構成される。なお、本実施形態におけるゲートウェイ局１および端末局３は、有線通信経路１０を用いて送受信を行う１つ以上の通信部１１（例えば、図２における通信部１１ｃ）と、無線通信経路２０を用いて送受信を行う複数の通信部１１（例えば、図２における通信部１１ａ，１１ｂ）とを備える。
【００２５】
有線通信ＩＦ部１１４と無線通信ＩＦ部１１１とは、有線通信と無線通信との間の物理的な信号の変換を行う。
エラー率測定部１１２は、各無線通信ＩＦ部１１１を介してそれぞれの無線通信経路２０で送受信される通信データにおける通信エラー率を測定する。
周波数変換部１１３は、後記する制御部１２内の通信周波数制御部１２２の制御の下に、送受信される無線通信信号の周波数チャンネルを、通信周波数制御部１２２が選択した新たな周波数チャンネルに変換する。
【００２６】
制御部１２は、プロトコル変換部１２１と、通信周波数制御部１２２とを含んで構成される。
なお、制御部１２は、このゲートウェイ局１が備えるＣＰＵ（Central Processing Unit）によるプログラム実行処理や専用回路等により実現され、プログラム実行処理により実現される場合には、記憶部１３に、このゲートウェイ局１の機能を実現するためのプログラムが記憶される。
【００２７】
プロトコル変換部１２１は、イーサネット（登録商標）のような有線通信プロトコルと無線ＬＡＮ（IEEE802.11）のような無線通信プロトコルとの間の論理的なプロトコル変換を行う。
【００２８】
通信周波数制御部１２２は、無線通信経路２０における通信エラー率が所定の閾値を超えた場合に、新たな周波数チャンネルを選択し、その無線通信経路２０とは異なる無線通信経路２０を介して新たな周波数チャンネルに関する情報を中継局２へ送信する。そして、通信周波数制御部１２２は、通信エラー率が所定の閾値を超えた無線通信経路２０の周波数チャンネルを、新たな周波数チャンネルに設定変更する。
また、通信周波数制御部１２２は、エラー率判定部１２３と、周波数選択部１２４と、周波数変更情報送受信部１２５と、周波数設定部１２６とを含んで構成される。
【００２９】
エラー率判定部１２３は、エラー率測定部１１２が測定した無線通信経路２０ごとの通信エラー率に関する情報を取得し、その通信エラー率が所定の閾値を超えているか否かを判定する。
【００３０】
周波数選択部１２４は、エラー率判定部１２３により、通信エラー率が所定の閾値を超え、周波数チャンネルの設定変更が必要だと判断された無線通信経路２０についての新たな周波数チャンネルを選択する。
【００３１】
周波数変更情報送受信部１２５は、周波数選択部１２４が選択した新たな周波数チャンネルに関する情報を含む周波数変更要求情報を、通信エラー率が所定の閾値を超えた無線通信経路２０とは異なる無線通信経路２０を介して送信する。また、周波数変更要求情報に対する他の無線通信装置からの返答としての周波数変更応答情報を受信する。
なお、この周波数変更情報送受信部１２５は、請求項に記載した周波数変更情報送信部および周波数変更情報受信部の機能を備える。
【００３２】
周波数設定部１２６は、周波数変更情報送受信部１２５が他の無線通信装置から周波数変更応答情報を受信したことを契機として、周波数選択部１２４が選択した新たな周波数チャンネルに設定変更する指示を、通信エラー率が所定の閾値を超えた無線通信経路２０と接続する通信部１１内の周波数変換部１１３に対して行い、周波数チャンネルの設定を変更させる。
【００３３】
記憶部１３は、ＲＡＭ（Random Access Memory）やキャッシュメモリ等の記憶手段から構成され、送受信される情報を一時的に記憶する。
【００３４】
次に、中継局２について具体的に説明する。図３は、本実施形態に係る中継局２の構成例を示す機能ブロック図である。
図３に示すように、中継局２は、複数の通信部２１と、制御部２２と、記憶部２３とを含んで構成される。なお、図２のゲートウェイ局１と同様の機能を有する構成は、同じ名称を付し、説明を省略する。
【００３５】
図２に示すゲートウェイ局１との違いは、図２のような有線通信ＩＦ部１１４を備える通信部１１ｃはなく、その代わりに、図３の中継局２では、無線通信ＩＦ部２１１ｃ等を備える通信部２１ｃを備えている点である。
この通信部２１ｃは、他の通信部２１ａ，２１ｂが備える機能と同様の機能をもつ、無線通信ＩＦ部２１１ｃと、エラー率測定部２１２ｃと、周波数変換部２１３ｃとを備える。つまり、本実施形態における中継局２は、無線通信経路２０を用いて送受信を行う複数の通信部２１（２１ａ，２１ｂ，２１ｃ）を備える。
【００３６】
この無線通信装置であるゲートウェイ局１（端末局３）および中継局２の通信周波数制御部１２２，２２２による周波数チャンネルの設定に関して説明する。
図４は、無線通信装置において設定される周波数チャンネルを説明するための図である。図４に示すように、ある周波数ｆ１から周波数ｆ２までの周波数帯域において、帯域幅ｆｄを持つ周波数チャンネルを複数設け、任意に選択した１つの周波数チャンネル（例えばチャンネル４０６）を用いて通信を行う。例えば、無線ＬＡＮ（IEEE802.11g）を用いた場合には、２．４ＧＨｚ帯の周波数において、１チャンネルあたり２０ＭＨｚ幅の周波数チャンネルが１３個（周波数チャンネル４０１，４０２，…，４１３）設けられる。
【００３７】
図５は、無線通信信号の受信レベルの周波数による変動を説明するための図である。
図５に示すように、無線通信では、マルチパスやフェージングの影響によって、無線通信信号の受信レベルの値５００が周波数によって変動する。また、外来ノイズも周波数によって増減するため、どの周波数チャンネルを選択して通信するかで通信エラー率が異なる。
【００３８】
しかしながら、人や物の移動状況やその配置によっては、異なる周波数チャンネルでは低い通信エラー率で通信可能な周波数チャンネルも存在するため、そのような周波数チャンネルに変更することで通信エラー率を低減し、スループットの低下を抑制することができる。
【００３９】
次に、図１〜図３を参照しつつ、図６、図７を用いて、本実施形態に係る無線通信方法の処理の流れについて説明する。
【００４０】
図６は、本実施形態に係る無線通信装置（ゲートウェイ局１，中継局２，端末局３）における周波数チャンネルの変更処理の概要を説明するための図である。図６においては、制御装置５が、機器６を監視または制御するために、メッシュ型に構成された無線通信ネットワークを介して情報の送受信を行う。ここでは、無線通信ネットワークを構成するゲートウェイ装置１（第１の無線通信装置）と中継局２Ａ（第２の無線通信装置）との間で通信エラー率が増加し、所定の閾値を超えたため、無線通信経路２０ａの周波数チャンネルを設定変更するものとして説明する。なお、中継局２と他の中継局２との間の無線通信経路２０、または、中継局２と端末局３との間の無線通信経路２０において通信エラー率が増加した場合においても、後記して説明する周波数チャンネルの変更処理を、中継局２および端末局３が同様に行うことができる。
【００４１】
図６において、ゲートウェイ局１と中継局２Ａとの間の無線通信経路２０ａにおいて、通信エラー率が増加したことをゲートウェイ局１が検知する。そして、通信エラー率が所定の閾値を超えた場合に、ゲートウェイ局１は、設定変更する新たな周波数チャンネルに関する情報を含む周波数変更要求情報を、中継局２Ｂを介して中継局２Ａに対して送信する（符号３０ａ，３０ｂ）。
【００４２】
周波数変更要求情報を中継局２Ｂを介して受信した中継局２Ａは、周波数変更要求情報に含まれる新たな周波数チャンネルに設定変更する。そして、中継局２Ａは、新たな周波数チャンネルに設定変更したことを示す周波数変更応答情報を、中継局２Ｂを介してゲートウェイ局１に送信する（符号３１ａ，３１ｂ）。
【００４３】
中継局２Ｂを介して中継局２Ａから周波数変更応答情報を受信したゲートウェイ局１は、無線通信経路２０ａについて新たな周波数チャンネルに設定変更して、中継局２Ａとの間でデータの送受信を行う。
【００４４】
次に、無線通信装置における周波数チャンネルの変更処理について具体的に説明する。図７は、本実施形態に係る無線通信装置における周波数チャンネルの変更処理の流れを示すシーケンス図である。図７においては図６と同様に、ゲートウェイ装置１（第１の無線通信装置）と中継局２Ａ（第２の無線通信装置）との間で通信エラー率が増加し、所定の閾値を超えたため、無線通信経路２０ａの周波数チャンネルの設定変更を行うものと想定して説明する（適宜図２および図３参照）。
【００４５】
まず、ゲートウェイ装置１のエラー率測定部１１２ａ（図２参照）が、中継装置２Ａとの間の通信エラー率の測定を行う（ステップＳ７０１）。なお、ここでは、ゲートウェイ局１の通信部１１ａと中継局２Ａの通信部２１ａとが、無線通信経路２０ａで接続されデータ通信を行っているものとする。
【００４６】
続いて、エラー率測定部１１２ａは、測定した結果である通信エラー率に関する情報を通信周波数制御部１２２へ送る。そして、通信周波数制御部１２２のエラー率判定部１２３は、通信エラー率が所定の閾値を超えたか否かを判定する（ステップＳ７０２）。ここで、エラー率判定部１２３が、通信エラー率について所定の閾値を超えていないと判定した場合には（ステップＳ７０２→Ｎｏ）、ステップＳ７０１へ戻り処理を続ける。一方、エラー率判定部１２３が、通信エラー率について所定の閾値を超えていると判定した場合には（ステップＳ７０２→Ｙｅｓ）、次のステップＳ７０３へ進む。
【００４７】
ステップ７０３において、通信周波数制御部１２２の周波数選択部１２４は、現在通信している周波数チャンネルを設定変更するため新たな周波数チャンネルを選択する。
【００４８】
そして、周波数変更情報送受信部１２５は、周波数選択部１２４が選択した新たな周波数チャンネルに関する情報を含む周波数変更要求情報を、通信部１１ｂ（図２参照）を介して、中継局２Ｂ経由で中継局２Ａへと送信する（ステップＳ７０４）。
【００４９】
次に、中継局２Ａは、通信部２１ｂ（図３参照）を介して通信周波数制御部２２２の周波数変更情報送受信部２２５が、周波数変更要求情報を受信する（ステップＳ７０５）。そして、周波数設定部２２６が、受信した周波数変更要求情報により指定される新たな周波数チャンネルに設定変更する指示を周波数変換部２１３ａに送り、無線通信経路２０ａについての周波数チャンネルを設定変更する（ステップＳ７０６）。
【００５０】
続いて、中継局２Ａの周波数変更情報送受信部２２５は、新たな周波数チャンネルに設定変更を行った旨の情報である周波数変更応答情報を、通信部２１ｂを介して、中継局２Ｂ経由でゲートウェイ局１へと送信する（ステップＳ７０７）。
【００５１】
そして、ゲートウェイ局１は、通信部１１ｂ（図２参照）を介して周波数変更情報送受信部１２５が周波数変更応答情報を受信する（ステップＳ７０８）。
【００５２】
次に、ゲートウェイ局１の周波数設定部１２６は、周波数選択部１２４が選択した新たな周波数チャンネルに設定変更する指示を、周波数変更部１１３ａに送り、無線通信経路２０ａについての周波数チャンネルを設定変更する（ステップＳ７０９）。
【００５３】
このようにすることで、本実施形態に係る無線通信装置（ゲートウェイ局１，中継局２，端末局３）および無線通信方法は、データの送受信を行う無線通信経路２０の通信エラー率が所定の閾値を超えている場合に、新たな周波数チャンネルを選択し、その新たな周波数チャンネルに関する情報を異なる無線通信経路２０を介して送信できる。そして、無線通信経路２０について新たな周波数チャンネルに設定変更することで、通信エラー率を低減させ、スループットの低下を抑制することができる。
【符号の説明】
【００５４】
１      ゲートウェイ局（無線通信装置）
２      中継局（無線通信装置）
３      端末局（無線通信装置）
４      ハブ
５      制御装置
６      機器
７      外部ネットワーク
１０    有線通信経路
１１，２１  通信部
１２，２２  制御部
１３，２３  記憶部
２０    無線通信経路
１００  通信ネットワークシステム
１１１，２１１  無線通信ＩＦ部
１１２，２１２  エラー率測定部
１１３，２１３  周波数変換部
１１４  有線通信ＩＦ部
１２１，２２１  プロトコル変換部
１２２，２２２  通信周波数制御部
１２３，２２３  エラー率判定部
１２４，２２４  周波数選択部
１２５，２２５  周波数変更情報送受信部
１２６，２２６  周波数設定部
【図１】
2010233131.tif 000003
【図２】
2010233131.tif 000004
【図３】
2010233131.tif 000005
【図４】
2010233131.tif 000006
【図５】
2010233131.tif 000007
【図６】
2010233131.tif 000008
【図７】
2010233131.tif 000009